(57)【特許請求の範囲】
【請求項１】
汚物流しの下面と、汚物流しを設置する床面との間に挿入可能で、且つ前記汚物流しの前記床面からの高さを調整可能とした汚物流し用高さ調整部材であって、この汚物流し用高さ調整部材の奥行き寸法は、前記汚物流しの奥行き寸法内に収められ、また汚物流し用高さ調整部材の底面形状は前記汚物流しの底面形状よりも大きく設定されていることを特徴とする汚物流し用高さ調整部材。
【請求項２】
請求項１に記載の汚物流し用高さ調整部材において、この調整部材の内部には、汚物流しの下面に形成される排出口と、設置床面に形成される排水口との間を連結する導水路部材を備えていることを特徴とする汚物流し用高さ調整部材。
【請求項３】
請求項２に記載の汚物流し用高さ調整部材において、前記導水路部材は、汚物流し用高さ調整部材に一体的に形成されていることを特徴とする汚物流し用高さ調整部材。
【請求項４】
請求項２または請求項３に記載の汚物流し用高さ調整部材において、前記導水路部材は円筒形状であり、その軸芯が鉛直方向になるように延びていることを特徴とする汚物流し用高さ調整部材。
【請求項５】
請求項２に記載の汚物流し用高さ調整部材において、前記導水路部材の底部は、設置床面に形成される排水口と嵌着可能に形成されていることを特徴とする汚物流し用高さ調整部材。
【請求項６】
請求項１に記載の汚物流し用高さ調整部材において、汚物流し用高さ調整部材の上面に把持部を形成したことを特徴とする汚物流し用高さ調整部材。
【発明の詳細な説明】
【０００１】
【発明の属する技術分野】
本発明は、汚物流しの高さを調整するために用いる高さ調整部材に関する。
【０００２】
【従来の技術】
汚物流しは、便器などと同様に陶器製であり、例えば、病院や公共施設のトイレや化粧室などにおいて、汚物を処理するための設備として設置されている。また、この汚物流しは、通常、設置場所の床面上に、配管された排水路（管）に接合するように取り付けられる。
【０００３】
斯かる汚物流しは、これを使用する際、その使用者が無理のない姿勢で作業することができるように、設置の際にはその高さを調整して取り付けられる。ところで、汚物流しは、既にその寸法が定まった規格製品であることから、従来、その高さを調整する場合には、その設置現場ごとにモルタルなどによって床を嵩上げして、この嵩上げした床面上に設置していた。
【０００４】
【発明が解決しようとする課題】
しかしながら、上述したように、汚物流しの設置現場ごとにモルタルなどで床を嵩上げして設置する場合には、嵩上げした床面の仕上げ作業（例えば、タイル張など）に時間がかかる。さらに、一旦設置した後に、その汚物流しの位置を高くしようとする場合には、その設置床面の嵩上げや床面の仕上げ作業に加えて、床面に配置されていた配水路管を上方に延長する作業も必要となるため、工事期間が長くなってしまう。
【０００５】
このように、汚物流しは、本来、その使用者や設置場所などに応じて、その設置する高さを変更できることが望ましい。しかしながら、現状では、これを簡単に実現することは困難となっている。
【０００６】
【課題を解決するための手段】
上記の従来技術における課題を解決すべく、本発明は、汚物流しの下面と、汚物流しを設置する床面との間に、例えば、汚物流しの外形と略一体的な外形を備える高さ調整部材を配置した。
【０００７】
また、本発明の汚物流し用高さ調整部材は、その内部に、前記汚物流しの下面に形成された排出口と、前記設置床面に形成された排水口との間を連絡する導水路部材を備えた構成とすることで、外観性を高めることが可能である。
【０００８】
また、前記導水路部材については、汚物流し用高さ調整部材に一体的に形成することで施工性を向上させることができ、その形状は例えば円筒形状とし、その軸芯が鉛直方向になるようにすることで位置合せが容易になり、更には導水路部材の底部と設置床面に形成された排水口とを嵌着可能に形成して作業性を高め得るようにしてもよい。
【０００９】
また、高さ調整部材の上面に把持部を形成することで、持ち運びが簡単に行えるようにしたり、高さ調整部材の奥行き寸法を、前記汚物流しの奥行き寸法内に収めることで、後工程で設置する際の周囲の部材との間で寸法的な制約を受けにくくしたり、更に高さ調整部材の底面形状を、前記汚物流しの底面形状よりもやや大きくすることで、汚物流しの底面周囲と床面との境界部の落ちにくい汚れを隠すことが可能である。
【００１０】
【発明の実施の形態】
以下に本発明の実施の形態を添付図面に基づいて説明する。ここで、図１は高さ調整部材を床面との間に挿入した汚物流しの外観を示す全体斜視図、図２は汚物流し用高さ調整部材の詳細構造を示す一部を切欠した斜視図、図３は高さ調整部材の詳細構造を示す側断面図、図４は高さ調整部材の平面図である。
【００１１】
図１に示すように、トイレの床面１０上に汚物流し２０が本発明に係る高さ調整部材３０を介して配置されている。この床面１０は、例えばタイル張りなどで仕上げられており、また、汚物流し２０は、鋳込み成形により形成され、その寸法が定まった規格製品である。また、高さ調整部材３０も、上記と同様に、鋳込み成形により形成されているが、プラスチックなどの合成樹脂を成形加工してもよい。
【００１２】
汚物流し用高さ調整部材３０は、汚物流し２０の下面と設置床面１０との間に挿入することが可能で、且つ外形が汚物流し２０の下端部と段差なく連続する形状となっており一体感を呈する形状となっている。
つまり、高さ調整部材３０は、汚物流し２０の下部の形状の延長してその外形を概略一致させた形状に成形されており、更に、高さ調整部材３０の底面形状は、その上面形状と共に、汚物流し２０の底面の形状よりも僅かに大きく設定されている。
【００１３】
このような形状にすることで、図からも明らかなように、高さ調整部材３０を汚物流し２０の下面と床面１０との間に挿入して配置することにより、汚物流し２０の床面からの高さを調整して汚物処理作業を作業者に無理のない姿勢で行うことを可能にすると共に、見栄えも良くなる。
【００１４】
また、この高さ調整部材３０は、既存の汚物流し２０にも適用することができる。その際、少なくとも、高さ調整部材３０の底面形状を汚物流し２０の底面の形状よりも大きくしておくことにより、例えば、一旦汚物流し２０を床面１０に取り付けた後、既設の現場に、その高さを調整するため、高さ調整部材３０を用いて再び組み立てる場合、以前に設置した汚物流し２０の底面の境界部における床面１０の汚れや変色が、この高さ調整部材３０の底面によって覆い隠される。このことから、取付け作業後の床面の手入れなどの作業が不要になり、若しくは軽減されることとなる。
【００１５】
また、上記のような高さ調整部材３０の形状によれば、その奥行き寸法が、その上に配置される汚物流し２０の全体の奥行き寸法内に収められていることから、高さ調整部材３０を用いて組み立てる場合にも、周囲との間の寸法的な制約を受けることがなく、そのため、既設の汚物流しへの適用や展開を容易に図ることができることとなる。
【００１６】
また、図２及び図３に示すように、汚物流し用高さ調整部材３０は、その内部の略中央部に、汚物流し２０の下面に形成された排出口２１と床面１０に設置された排水管１１の開口である排水口に設置された排水用アダプター１２との間を連絡するための、導水路３１が形成されている。また、図中の符号１２１、１２１は、この排水用アダプター１２を床面１０に固定するための固定用ネジである。
【００１７】
また、これらの図中の汚物流し２０において、符号２２は汚物流し固定用のネジを、符号２３、２４は汚物流し固定用のネジキャップを、２５はシール材を、そして符号２６は、この汚物流し２０に形成した取付け用穴を示している。また、汚物流し用高さ調整部材３０においては、符号３２は後にも説明する把持用の穴（図４参照）であり、符号３３は、調整部材の上面壁から上方に飛び出した汚物流し固定用のネジ、符号３４は汚物流し取付け用穴である。さらに、図中の符号３５は、高さ調整部材３０を床面１０上に固定するための高さ調整部材固定用ネジを、符号３６は、この固定用ネジ３５の頭部に被せるネジキャップを、符号３７は、高さ調整部材３０を固定するための高さ調整部材固定用部材を、そして、符号３８は、この高さ調整部材固定用部材３７を床面１０に固定するための取付けネジを、さらに、符号３９は、高さ調整部材３０の側壁の孔から高さ調整部材固定用部材３７へ螺合して固定するための高さ調整部材固定用ネジを示している。さらに、図中の符号４０は高さ調整部材３０の取付け用穴を、符号ＦＬは床面レベルを示している。
【００１８】
設置の際には、まず、床面１０の排水管１１の開口部に排水用アダプター１２を取り付けて接続し、この時、固定用ネジ１２１で床面１０に固定する。次に、所定の位置に高さ調整部材固定用部材３７を、取付けネジ３８で床面１０上に固定する。
【００１９】
次いで、上記の汚物流し用高さ調整部材３０を、その把持用の穴３２を利用して運び、上記で固定した排水用アダプター１２にその導水路３１の先端が接合するように、床面１０上に置く。そして、上記高さ調整部材固定用ネジ３９及び固定用ネジ３５で、汚物流し用高さ調整部材３０の床面１０との高さや傾斜を調整しながら固定する。なお、この時、予め、汚物流し固定用のネジ３３をこの高さ調整部材３０に取り付けておく。
【００２０】
続いて、汚物流し２０の排出口２１である連結部にシール材２５を巻き付け、汚物流し２０を高さ調整部材３０の上部に仮置きする。この時、予め取り付けておいた上記汚物流し固定用のネジ３３が汚物流し２０の固定用穴に挿入されるようにする。また、汚物流し２０の取付け用穴２６と、高さ調整部材３０の汚物流し取付け用穴３４とが同一の垂線上に位置するように、かつ、高さ調整部材３０の外周と、その上に配置された汚物流し２０の外周とがほぼ均等になるように調整する。その後、ネジキャップ２３、２４、３６をネジに取り付けて設置作業を終了する。
【００２１】
なお、上記に詳細な構造を説明した汚物流し用高さ調整部材３０において、その導水路３１は、汚物流し２０から排出される汚物を含んだ排水を外部に漏れ出さないように、その下面に形成された排出口２１から床面１０に設置された排水用アダプター１１まで導くものである。また、図示のように、導水路３１は、高さ調整部材３０の内部に配置されて外部に露出されていないことから、設置された汚物流し全体のデザイン性も良好である。なお、この導水路３１は、実施例にあっては、汚物流し用高さ調整部材３０の外形部と共に、一体的に形成されており、その形状は円筒形状であり、かつ、その軸芯は鉛直方向になるように延びて形成されている。
【００２２】
このように、導水路３１を高さ調整部材３０と一体に形成することによれば、この高さ調整部材３０上に汚物流し２０を載せるだけで、その下面に形成された排出口２１と導水路３１との接続が行われるため、施工性が向上することができる。しかしながら、導水路３１は、必ずしも上記の一体形成による構造だけに限定されず別体に形成し、その後、組み立て時などに一体に取り付けることも可能である。
また、導水路３１を円筒形状にして、その軸芯を鉛直方向にすることにより、組立・設置作業の際の位置合わせを容易に行うことができる。
【００２３】
また、高さ調整部材３０の上面壁には、２個所に、把持用の穴（孔）３２、３２を設けている。この高さ調整部材３０に、かかる把持用の部位や手段、この実施の形態穴３２を設けることにより、その持ち運びが容易になり、さらに、施工時の作業性をも改善することができる。
【００２４】
なお、実施例にあっては、高さ調整部材３０は一定の高さを有するものとして説明したが、高さの異なる高さ調整部材３０を複数種類、予め用意しておくことも可能である。その場合、設置の際に、それら複数の高さ調整部材から、適宜、所望の高さの部材を選択することにより、最適な高さの調整が可能になる。
【００２５】
【発明の効果】
以上に説明したように、本発明の汚物流し用高さ調整部材によれば、これを床面との間に挿入して配置することにより、既設の汚物流しをも含め、その一体感を保ちながら、汚物流しの高さを簡単に調整して設置することができ、これにより、作業者の無理のない姿勢での汚物流しでの汚物処理作業が可能になる。
【００２６】
また、汚物流し用高さ調整部材の内部に、汚物流しの下面の排出口と床面の排水口との間を連絡する導水路部材を備えることで、排出される汚物を含んだ排水が外部に漏れ出さず、また、配管部が外部に露出されないことから外観のデザイン性も良好である。特に、この導水路部材を高さ調整部材と一体に形成することにより、施工性を向上し、その形状を円筒形状で、その軸芯を鉛直方向に伸ばすことにより、位置合わせ容易にする。さらに、アダプター等により、導水路部材の下端が床面に設けた排水口に嵌着可能な構造にすることにより、設置時の手間を省略して短期間の設置工事が可能になる。
【００２７】
また、汚物流し用高さ調整部材に把持部を形成することで、運搬を楽にして施工時の作業性を向上すると共に、その奥行き寸法を汚物流しの奥行き寸法内に収めることにより、周囲の寸法的な制約を受けることなく、既設の汚物流しへの適用や展開を容易にし、さらに、その底面形状を汚物流しの底面形状よりも僅かに大きくすることにより設置作業が容易になる。
【図面の簡単な説明】
【図１】本発明に係る汚物流し用高さ調整部材を床面との間に挿入した汚物流しの外観を示す全体斜視図。
【図２】上記汚物流し用高さ調整部材の内部を含む詳細構造を示す一部を切欠した斜視図。
【図３】上記汚物流し用高さ調整部材の詳細構造を示す側断面図。
【図４】上記汚物流し用高さ調整部材の平面図。
【符号の説明】
１０…床面、１１…排水管、２０…汚物流し、２１…排出口、３０…汚物流し用高さ調整部材、３１…導水路、３２…把持用の穴。
【図１】
0003635836.tif 000002
【図２】
0003635836.tif 000003
【図３】
0003635836.tif 000004
【図４】
0003635836.tif 000005